(57)【要約】      （修正有）【課題】購入者にオンライン商品の販売を知らせることができ、かつ電子商取引サイトが潜在的購入者との情報交換を維持することのできる方法を提供する。【解決手段】通信システムに所定の商品を表示する方法を提供する。携帯ユニットは前記商品をオンライン・スクリーニング・プロセッサに表示する。前記プロセッサは電子商取引サイトとのセッションを開始して、前記商品が入手可能かどうかを判定する。携帯ユニットは前記商品の入手可能性の情報を前記プロセッサから受け取り、表示する。次に、携帯ユニットは携帯ユニットのユーザからの入力を受け取り、その入力を前記プロセッサに送る。続いて、携帯ユニットと電子商取引サイトとの間でマルチメディア・セッションが確立される。前記セッションは携帯ユニットと電子商取引サイトと接続し、携帯のユーザが電子商取引サイトからの商品の追加情報を購入または受取り可能かの情報の交換を両者の間で促進する。【選択図】図１
2005011351.tif 000002
【特許請求の範囲】
【請求項１】
オンライン・スクリーニング・プロセッサからの所定の商品を携帯ユニットを用いて表示するステップからなる所定の商品の入手可能性を表示する方法。
【請求項２】
オンライン・スクリーニング・プロセッサからの所定の商品を携帯ユニットを用いて表示する前記ステップは、
前記携帯ユニットと前記オンライン・スクリーニング・プロセッサとの間で無線マルチメディア・セッションを開始するステップ、
前記携帯ユニットで表示するために、前記オンライン・スクリーニング・プロセッサからマルチメディア情報を受け取るステップ、
前記携帯ユニットにて入力を受け取るステップ、及び、
前記オンライン・スクリーニング・プロセッサにマルチメディア応答を送るステップからなる請求項１に記載の所定の商品の入手可能性を表示する方法。
【請求項３】
前記方法は、さらに、オンライン・スクリーニング・プロセッサから前記所定の商品の入手可能性の表示を前記携帯ユニットにて受け取るステップからなる請求項１に記載の所定の商品の入手可能性を表示する方法。
【請求項４】
オンライン・スクリーニング・プロセッサから所定の商品の入手可能性の表示を受け取る前記ステップは、
前記オンライン・スクリーニング・プロセッサからマルチメディア情報を受け取るステップ、
前記携帯ユニットにて該マルチメディア情報を表示するステップ、
該マルチメディア情報の選択肢の１つの前記携帯ユニットのユーザから入力を受け取るステップ、及び
前記携帯ユニットから前記オンライン・スクリーニング・プロセッサに該入力を送るステップからなる請求項３に記載の所定の商品の入手可能性を表示する方法。
【請求項５】
さらに、前記携帯ユニットと電子商取引サイトとの間でマルチメディア・セッションを確立するステップからなる請求項３に記載の所定の商品の入手可能性を表示する方法。
【請求項６】
前記電子商取引サイトと前記携帯ユニットとの間でマルチメディア・オンライン・インタラクション実行するステップからなる請求項５に記載の所定の商品の入手可能性を表示する方法。
【請求項７】
携帯ユニットからマルチメディア・セッションを受け取るステップ、
該携帯ユニットから好みのリストの確立を示す情報を受け取るステップ、
アラートされることになっている携帯ユニットの固有のアドレスのリストをオンライン・スクリーニング・プロセッサにて受け取るステップ、及び、
該好みのリストおよび携帯ユニットの固有のアドレスの該リストを該オンライン・スクリーニング・プロセッサにて格納するステップからなる所定の商品の入手可能性を表示する方法。
【請求項８】
前記オンライン・スクリーニング・プロセッサにてトリガ・レベルを受け取るステップからなる請求項７に記載の所定の商品の入手可能性を表示する方法。
【請求項９】
オンライン・スクリーニング・プロセッサと電子商取引サイトとの間でセッションを開始するステップ、
該電子商取引サイトにて商品の在庫リストを作成するステップ、
該作成した商品の在庫リストと格納されている好みのセットとを比較するステップ、
該作成した商品の在庫リストと格納されている好みとが、マッチするか否か判断するステップ、及び、
該作成した商品の在庫リストと該格納された好みとがマッチする場合、該電子商取引サイトと携帯ユニットとの間でマルチメディア・セッションを開始するステップからなる所定の商品の入手可能性を表示する方法。
【請求項１０】
さらに、前記電子商取引サイトと少なくとも１つの携帯ユニットとの間でマルチメディア・セッションを開始するステップからなる請求項９に記載の所定の商品の入手可能性を表示する方法。
【発明の詳細な説明】
【技術分野】
【０００１】
本発明は一般に、オンライン商品を購入するための通信システムの利用に関し、特に、電子商取引サイトにおける所定の商品の入手可能性を表示する方法に関する。
【背景技術】
【０００２】
電子商取引サイトは、種々の手段を利用して電子商取引サイトにアクセスする購入者に製品またはサービスなどの商品を販売する。
【０００３】
顧客は特定の商品に対する好みを示したいと望んでよい。例えば、商品が入手可能になった場合、顧客は特定の中古商品への関心を電子商取引サイトに示したいと望んでよい。さらに、顧客は好みの作家が出した最新の小説など、販売用に提供される新しい商品がアラートされるのを望んでよい。
【発明の開示】
【発明が解決しようとする課題】
【０００４】
収集品や家など固有の商品に関する問題の１つは、あなたの前に他の誰かがその商品を購入してしまうという問題である。特に、高需要で供給が少ない商品の場合、その商品は殆ど即座に売れてしまう可能性があるため、関心のある買い手にとってはフラストレーションを引き起こすことになる。潜在的買い手が売りに出される商品を知るが、その商品が既に販売された後になるまでアラートされなかった場合は、これは特にがっかりするものになる。
【０００５】
電子商取引サイト側の問題の１つは、売上が落ちるという問題である。例えば、潜在的買い手が一旦電子商取引サイトを去ると、商品を覚えている潜在的買い手の機会、商品のパラメータ、および実際の電子商取引サイトさえも大幅に縮小される。このため、売り手は潜在的購入者との情報交換を維持することに高い関心を持っている。
【０００６】
したがって、購入者にオンライン商品の販売を知らせることができ、かつ電子商取引サイトが潜在的購入者との情報交換を維持することのできる方法の必要性がある。
【課題を解決するための手段】
【０００７】
本発明は通信システムにおいて所定の商品を表示する方法を提供する。携帯ユニットは、オンライン・スクリーニング・プロセッサに所定の商品を示し、この表示は好みのリストの形式であってよい。携帯ユニットは、無線電話、携帯情報端末（ＰＤＡ）、ポケットベル、あるいはパーソナル・コンピュータ・アプリケーションであり得る。オンライン・スクリーニング・プロセッサは、所定の商品の表示を格納する。オンライン・スクリーニング・プロセッサは、所定の商品が入手可能になるとアラートされるべき通信ユニットの固有のアドレスのリストを受け取り、格納する。
【０００８】
前記リストが複数の基準を含むリストである動的な好みのリストの場合、携帯ユニットのユーザは、その基準の各々について目標値を指定することができる。動的な好みのリストに関して、携帯ユニットのアラートをトリガするのに必要な基準の数は時間とともに減る。好みのリストが動的な場合、オンライン・スクリーニング・プロセッサはそのトリガ・レベルを受け取り、かつ格納する。タイマ等が終了すると、オンライン・スクリーニング・プロセッサはトリガ・レベルを減少させ、これによって、マッチを生成しかつ携帯ユニットにアラートするのに必要な基準の数を減らす。
【０００９】
オンライン・スクリーニング・プロセッサは、好適には所定の時間間隔で、あるいは電子商取引サイトに新しい商品が加えられたことを示すトリガと同時に、所定の商品がその時点で入手可能かどうかを決定するために、電子商取引サイトとのセッションを開始する。オンライン・スクリーニング・プロセッサは電子商取引サイトの在庫リストを生成し、その在庫リストとオンライン・スクリーニング・プロセッサによって格納された所定の商品のリストとを比較する。
【００１０】
在庫リストと所定の商品のリストとの間にマッチがあれば、オンライン・スクリーニング・プロセッサは所定の商品のリストが動的な好みのリストかどうかを決定する。動的な好みのリストの場合、オンライン・スクリーニング・プロセッサはマッチがトリガ・レベルを超えていないかどうかを判定する。トリガ・レベルを超えている場合、オンライン・スクリーニング・プロセッサは予め指定したすべての固有のアドレスを用いてマルチメディア・セッションを開始する。
【００１１】
事前に指定した携帯ユニットは、オンライン・スクリーニング・プロセッサからの所定の商品の入手可能性のこの表示を受け取り、かつ表示する。次に、携帯ユニットは携帯ユニットのユーザからの入力を受け取る。携帯ユニットのユーザから受け取った情報は、オンライン・スクリーニング・プロセッサに送られる。
【００１２】
次に、マルチメディア・セッションが携帯ユニットと電子商取引サイトとの間で確立される。マルチメディア・セッションは、携帯ユニットと電子商取引サイトとの間で、携帯ユニットのユーザは電子商取引サイトからの商品の追加情報を購入または受け取ることができるという意図の情報の交換を促進するために、携帯ユニットと電子商取引サイトとを接続する。
【発明を実施するための最良の形態】
【００１３】
本発明は図１〜４を参照すればよりよく理解することができる。図１は本発明による通信システム１００を示している。図１に示した模範的実施形態では、通信システム１００は第３世代（３Ｇ）無線通信システムである。通信システム１００は択一的にはデジタル・セルラ方式であってよい。３Ｇ無線システムは、ｃｄｍａ２０００、ユニバーサル・モバイル・テレコミュニケーション・システム（ＵＭＴＳ）、広帯域ＣＤＭＡ（Ｗ−ＣＤＭＡ）、ローバル・システム・フォー・モバイル・コミュニケーションズ（ＧＳＭ）、およびＴＤＭＡベースの技術であるＵＷＣ−１３６などの複数のエア・インタフェースを含む。
【００１４】
図１に示すように、通信システム１００はＵＭＴＳ無線ネットワークの３ＧＰＰリファレンス・アーキテクチャを示す。通信システム１００は択一的には、その他のリファレンス・アーキテクチャであってよいことを理解すべきである。通信システム１００は、各論理的要素を形成するためにともに集められたネットワーク機能に基づいて定義された論理的要素を含んでいる。実施にはこれら論理的要素の複数の複製品を複数のネットワーク内に含んでよく、これら論理的構成要素の任意のものを単一のハードウェア・エンティティに統合してよい。本発明のアーキテクチャは、新たに登場するインターネット標準およびインターネット・プロトコルを利用するために設計されている。この一例として、呼を確立するためにシグナリングを行うＩＰマルチメディア・サブシステム（ＩＭＳ）用のセッション開始プロトコル（ＳＩＰ）がある。ＩＰｖ６などの新たに登場したインターネットベースのプロトコルを使用すれば、ＩＭＳが音声およびデータ・サービスとともに、インナーネット様の機能性およびサービスを携帯ユニットに提供することが可能になる。
【００１５】
通信システム１００は、携帯ユニット１０１、無線アクセス・ネットワーク（ＲＡＮ）１２１、パケット交換ドメイン１３１、ＩＰマルチメディア・サブシステム（ＩＭＳ）１４１、課金ゲートウェイ機能（ＣＧＦ）１３４、シグナリング・ゲートウェイ（ＳＧＷ）１４７、オンライン・スクリーニング・プロセッサ１０３、および電子商取引サイト１０５を含む複数の論理的要素を備える。
【００１６】
オンライン・スクリーニング・プロセッサ１０３は、中央処理装置、メモリ、および入力ポートおよび出力ポートを備えている。オンライン・スクリーニング・プロセッサ１０３はマルチメディア呼をセットアップおよび破壊（ｔｅａｒ  ｄｏｗｎ）する能力を提供する。オンライン・スクリーニング・プロセッサ１０３は顧客の好み、所定の商品、アラートされるべき通信ユニットのアドレス、および動的な好みのリストを格納する。
【００１７】
電子商取引サイト１０５は、中央処理装置、メモリ、ならびに入力ポートおよび出力ポートを備えている。電子商取引サイト１０５は、マルチメディア呼をセットアップおよび破壊（ｔｅａｒ  ｄｏｗｎ）する能力を提供する。電子商取引サイト１０５は、商品、属性、価格などその商品に関する情報、入手可能性、およびその商品に関する関連の詳細などを格納する。
【００１８】
ＵＭＴＳベースの無線アクセス・ネットワークおよびＧＳＭ／ＥＤＧＥベースの無線アクセス・ネットワークの両方が図示されている。この図では、課金ゲートウェイ機能（ＣＧＦ）１３４は、ベース３ＧＰＰ通信システム１００の一部であり、パケット交換ドメイン１３１内の課金情報の集合を示している。図１に示すように、無線アクセス・ネットワーク（ＲＡＮ）およびパケット交換内ドメイン１３１は、ＩＭＳ１４１とは独立したものである。
【００１９】
携帯ユニット１０１は任意の装置、または無線ネットワークと接続するために使用することができる装置の組み合わせであり得る。携帯ユニット１０１は好適には、通信システム１００によってサポートされるエア・インタフェースを介して通信システム１００と通信を行う３Ｇ携帯ユニットである。択一的には、携帯ユニット１０１はコンピュータ上のソフトフォン、携帯情報端末（ＰＤＡ）、ペン・タブレット、およびウェブ・パッドであってよい。
【００２０】
ＲＡＮ１２１は好適には、無線装置とＵＭＴＳアクセス・ネットワークとの間のプライマリ・インタフェースであるＵＭＴＳ  Ｔｅｒｒｅｓｔｒａｉｌ  Ｒａｄｉｏ  Ａｃｃｅｓｓ  Ｎｅｔｗｏｒｋ（ＵＴＲＡＮ）を備える。択一的には、無線装置とＧＳＭ／ＥＤＧＥ無線アクセス・ネットワークとの間のプライマリ・インタフェースであるＲＡＮ１２１はＧＳＭ／ＥＤＧＥアクセス・ネットワーク（ＧＥＲＡＮ）であってよい。ＲＡＮ１２１は、３Ｇエア・インタフェースなどのエア・インタフェースを介してユーザ装置に結合されている。
【００２１】
パケット交換ドメイン１３１は、Ｓｅｒｖｉｎｇ  ＧＰＲＳ  Ｓｕｐｐｏｒｔ  Ｎｏｄｅ（ＳＧＳＮ）１３２およびＧＰＲＳ  Ｇａｔｅｗａｙ  Ｓｕｐｐｏｒｔ  Ｎｏｄｅ（ＧＧＳＮ）１３３を備えている。ＳＧＳＮ１３２は、パケット・モビリティ管理、認証、セッション管理、アカウンティング、ＩＭＳＩなどのユーザ装置識別へのＩＰアドレスのマッピング、モバイル状態の情報の維持、およびＧＧＳＮ１３３とのインタフェーシングを提供する。ＧＧＳＮ１３３は、ＳＧＳＮとＩＰを用いた外部パケット・データ・ネットワークとの間のインタワーキングを提供する。
【００２２】
ＩＭＳ１４１は好適には、呼状態制御機能（ＣＳＣＦ）１４３、ブレイクアウト・ゲートウェイ制御機能（ＢＧＣＦ）１４４、メディア・ゲートウェイ制御機能（ＭＧＣＦ）１４５、メディア・ゲートウェイ（ＭＧＷ）１４８、およびマルチメディア・リソース機能（ＭＲＦ）１４９を備えている。
【００２３】
ＣＳＣＦ１４３は、ベアラ／セッション制御のためのシグナリング・エンティティである。ＣＳＣＦ１４３はＳＩＰセッションを管理し、特徴／サービスを提供し、セッション制御、特徴／サービス制御、およびリソース割当のために他のネットワーク要素と調製を行う。
【００２４】
ＣＳＣＦ１４３は、模範的実施形態では着信呼ゲートウェイ、呼制御機能、サービング・プロファイル・データベースおよびアドレス処理を含む複数の機能を実行する。さらに、本発明の模範的実施形態によれば、リモートＭＳＣサーバによって提供されているＩＭＳ−ホームドの加入者への呼伝達を支援するために必要に応じて、ＣＳＣＦ１４３はＧＭＳＣエミュレーションを実行する。
【００２５】
ＣＦＣＦ１４３は、好適には規格文書３ＧＰＰ  ＴＳ  ２３．００２の第３世代パートナーシップ・プロジェクトによって定義されるように、多数のネットワーク要素とのインタフェースを備えている。ＣＳＣＦ１４３は好適には、ＳＩＰプロトコルを用いて複数の要素に接続されている。これらのネットワーク要素には、インタフェースＧｉを介したＧＧＳＮ１３３、インタフェースＭｇを用いたＭＧＣＦ１４５、インタフェースＭｉを用いたＢＧＣＦ１４４、インタフェースＭｒを用いたＭＲＦ１４９、ＩＰマルチメディア・ドメイン１７５（図示せず）、およびインタフェースＭｗを用いたＣＳＣＦ１９３などの他のＣＳＣＦを備えている。ＣＳＣＦ１４３は好適にはＤＩＡＭＥＴＥＲプロトコルを用いて、インタフェースＣｘを介してＨＳＳ  １４２と結合されている。ＣＳＣＦ１４３は、好適にはＭＡＰプロトコルを使用するが、択一的にはＣＡＰまたは他のＳＳ７アプリケーションプロトコルを用いてよいインタフェースＭｓを介して、ＳＧＷ１４７に結合されている。
【００２６】
ＢＧＣＦ１４４はベアラ／セッション制御のためのシグナリング・エンティティである。ＢＧＣＦ１４４の主な役割は、携帯ユニット１０１からＰＳＴＮアドレスへの呼のためのＰＳＴＮ１６１とのインタワーキングに使用するネットワークを選択することである。ＢＧＣＦ１４４は好適には、適切なＭＧＣＦの選択、ネットワーク情報の他のネットワークからの隠蔽、およびピア・ネットワーク要素の認証を用いたセキュリティの提供（ｐｒｏｖｉｓｉｏｎ）を含むがこれに限定されない補助機能を実行する。
【００２７】
ＢＧＣＦ１４４はＭｉインタフェースを介してＣＳＣＦ１４３と通信を行い、Ｍｊインタフェースを介してＭＧＣＦ１４５と通信を行い、Ｍｋインタフェースを介してＢＧＣＦ１９４と通信を行う。これらインタフェースは３ＧＰＰ  ＴＳ  ２３．００２に定められている。ＳＩＰはこれら標準インタフェースの好ましいプロトコルである。ＢＧＣＦ１４４は通信システム１００内で決定を行うのを支援するために、他のエンティティとのインタフェース（図示せず）を備えてもよい。
【００２８】
ＢＧＣＦ１４４は好適には、３ＧＰＰ参照モデルからの論理的エンティティである。ＢＧＣＦ１４４の実施は、ＣＳＣＦ１４３、ＭＧＣＦ１４５、およびＳＧＷ１４７などのシグナリング機能を実行する他の論理的エンティティとともに、同じプラットフォーム上で組み合わされてよい。
【００２９】
ＰＳＴＮゲートウェイを選択するために、ホーム・ネットワーク内のＢＧＣＦ１４４は、模範的実施形態としてはＳＩＰ  ＩＮＶＩＴＥメッセージである、ＣＳＣＦ１４３からのコール・オリジネーション・メッセージを受け取る。ＣＳＣＦ１４３からのコール・オリジネーション・メッセージの受信は、宛先がＰＳＴＮアドレスであることを示す。ＢＧＣＦ１４４はＰＳＴＮ１６１とのインタワーキングを提供するために、どのネットワークを使用すべきかを決定しなければならない。ＢＧＣＦ１４４はこの決定をするために、複数のソースからのデータを使用してよい。この決定を行う際にＢＧＣＦ１４４が調べてよい因子の例には、呼出しＵＥのその時点の位置、ＰＳＴＮアドレスの位置、訪問したネットワークとホーム・ネットワークとの間のローカル・ポリシーおよび業務上の契約、ＰＳＴＮネットワーク内の経路距離を最短にしたいという希望、および最小費用の経路を求める希望があるが、これらに限定されるわけではない。ＰＳＴＮゲートウェイがホーム・ネットワークであると決定されると、ＭＧＣＦ１４５などのホーム・ネットワーク内のＭＧＣＦが選択される。ＰＳＴＮゲートウェイが別のネットワークにあると決定されると、処理がそのネットワークの方に進むように、他方のネットワークのためのＢＧＣＦアドレスが決定されるべきである。
【００３０】
ＢＧＣＦ１４４は情報隠蔽機能を提供してもよい。２つのＢＧＣＦがネットワークの境界に渡って用いられる場合、２つのＢＧＣＦはローカル・ネットワーク情報を他方のネットワークから隠すために使用されてよい。ＢＧＣＦ１４４は通信システム１００内でセキュリティを提供することも可能である。ＢＧＣＦ１４４は、ピアツーピアＳＩＰアプリケーション・レベル通信のためにピア・ネットワークの認証を実行することによってセキュリティを提供する。
【００３１】
ＭＧＣＦ１４５はシグナリングを終了し、ＩＭＳ１４１とＰＳＴＮ１６１との間で呼制御インタフェースおよび翻訳を提供する。ＭＧＣＦ１４５はまた、ＭＧＷ１４８内のメディア・チャネルに接続の制御を提供する。ＭＧＣＦ１４５はＭｃインタフェースを介してＭＧＷ１４８と通信を行い、Ｍｊインタフェースを介してＢＧＣＦ１４４と通信を行い、Ｍｇインタフェースを介してＣＳＶＦ１４３と通信を行う。
【００３２】
ＭＧＣＦ１４５はまた好適には、ＭＧＷ１４８などのメディア・ゲートウェイ（ＭＧＷ）のセットを制御するためにシグナリングを提供する。このシグナリングは好適にはＨ．２４８の形式である。Ｈ．２４８を用いることによって、ＭＧＣＦ１４５はＰＳＴＮ１６１とＩＭＳ１４１との間のベアラのためにインタワーキングを必要とするセッションのために、ベアラ・リソースの確立を制御することができる。ネットワーク・オペレータのＭＧＷのサービスを必要とする呼のために、そのネットワーク・オペレータのネットワーク内のＭＧＣＦ１４５からの要求を介してポートが割り当てられる。
【００３３】
シグナリングによって、ＭＧＣＦ１４５はＭＧＷ１４８に関して複数の操作を実行することが可能となる。これらの操作には、ＭＧＷのレジストレーション、ＩＭＳ１４１とＰＳＴＮ１６１との間のベアラの確立制御、メディア翻訳リソース（すなわち、圧縮、エコー・キャンセレーション、ボコーディング等）の割当て要求、ＭＧＷ１４８で検出された事象の制御、ＭＧＷ１４８によるトーンおよびアナウンス等のシグナルの適用、および統計の収集がある。
【００３４】
ＭＧＣＦ１４５は好適には、複数のＭＧＷを制御する。ＭＧＷはサービスに置かれるために、ＭＧＷはそれ自身を自分のデフォルトＭＧＣＦに登録する。ＭＧＣＦへの登録が終わると、ＭＧＷはベアラ処理を開始することができる。
【００３５】
ＭＧＣＦ１４５は好適には、ＳＩＰベースのインタフェースをＣＳＣＦ１４３に実施する。ＢＧＣＦ１４５はＣＳＣＦ１４３とＭＧＣＦ１４５との間のシグナリング経路内にあってよい。このインタフェースを用いて、ＭＧＣＦ１４５はＣＳＣＦ１４３からの命令を受け取って、呼の制御に関連する機能を実行する。
【００３６】
ＭＧＷ１４８は、所定のＩＰネットワーク上の音声などのメディア・フローとＰＳＴＮ１６１上のベアラ・データとの間で翻訳を行う要素である。パケットがＧＧＳＮ１３３またはＭＧＷ１７３を流れて、最終的にユーザの装置に達した時に、ＭＧＷ１４８はＰＳＴＮ１６１からの回路交換ベアラ・トラフィックを終了し、ＩＰのメディア・フローを終了する。ＭＧＷ１４８は好適にはボコーディングを実行し、かつトーンおよびアナウンスを提供してもよい。ＭＧＷ１４８にてインバンド・シグナリング方法がサポートされると、インバンド・シグナリングを用いたＰＳＴＮトラフィックのために、ＭＧＷ１４８は好適にはベアラおよびシグナリング・トラフィックの両方を終了し、そのシグナリング・メッセージをＭＧＣＦ１４５へ進める。ＭＧＷ１４８はＧｉインタフェースを介してＧＧＳＮ１３３とインタフェースを取り、またＭｃインタフェースを介してＭＧＣＦ１４５とインタフェースを取る。
【００３７】
ＭＧＷ１４８はベアラ・ストリームを修正するためのリソースを含んでよい。これらのリソースによって、ＭＧＷ１４８はエンコード、圧縮、エコー・キャンセレーション、パケット化、トランスコーディング、パケット・タイミング同期化、およびパケット・ロス処理を実行することが可能となる。
【００３８】
ＭＧＷ１４８は好適には、複数の種類の音声エンコーディングをサポートする。これら音声エンコーディングにはＧ．７１１，適合的マルチレート（ＡＭＲ）、および他のＧ．ｘｘエンコーディング・スキームを含むが、これらに限定されるわけではない。ＰＳＴＮネットワークに接続された中継線上の音声をエンコードおよびデコードするために、ＭＧＷ１４８は好適にはＧ．７１１を使用することができる。
【００３９】
ＭＧＷ１４８は好適には、終了を含むＨ．２４８コンテクストを用いてベアラの接続を統合する。ＭＧＷ１４８は非常に多くの同時に起こるコンテクストを含んでよい。
【００４０】
ＭＧＷ１４８はまた好適には、ＭＧＣＦ１４５へのレジストレーション、事象の検出（例えば、デュアル・トーン・マルチ周波数（ＤＴＭＦ）検出）、ベアラの流れへのトーンおよびアナウンスの適用、優雅な（ｇｒａｃｅｆｕｌ）分解（ｔｅａｒｄｏｗｎ）および無作為な再始動、通知、統計の生成、およびＨ．２４８パッケージのサポートを含むがこれに限定されない複数のシグナリング機構を備えている。
【００４１】
ＭＲＦ１４９は、ビデオミキシングなどの、高度なアナウンスの生成および検出、Ｎ−ｗａｙ会議、トーンおよびアナウンスの生成、および将来の高度なメディア・サービスといったパケットベースのメディア・サービスを提供する。ＭＲＦ１４９はまた好適には、トランスコーディングおよび対話型音声応答を提供する。ＭＲＦ１４９はＭｒインタフェースを介してＣＳＣＦ１４３とインタフェースを取り、ＩＰマルチメディア・ドメイン１７５（図示せず）とインタフェースを取り、Ｇｉインタフェースを介してＧＧＳＮ１３３とインタフェースを取る。
【００４２】
模範的実施形態では、ＭＲＦ１４９はコントローラ部およびベアラ部という２つの部分から構成される。ＣＳＣＦ１４３は好適にはＭＲＦのコントーラ部とインタフェースを取って、ＳＩＰを用いたメディア・サービスを要求する。コントローラ部は好適には、Ｈ．２４８を用いてベアラ部と通信を行う。ベアラ部は好適には、ＲＴＰ／ＵＤＰ／ＩＰをサポートする。ＭＲＦ１４９によって維持されるリソースのいくつかは、ボコーダ、トランスコーダ、圧縮エンティティ、ベアラ−ストリーム・ミキサ、エコー・キャンセラー、および他のＤＳＰリソースを含む。ボコーダはマルチメディア・ストリームのトランスコーディングおよびミキシングのためにＭＲＦ１４９で必要とされる。
【００４３】
ＨＳＳ１４２は加入者認証、加入者のプロフィール管理、サービス認証、加入者の位置管理、システム間のチャネル切換え、および呼ルーティングのためにサポートを提供する。ＨＳＳ１４２は回路交換ドメイン１５１、パケット交換ドメイン１３１、およびＩＭＳ１４１からのサービスを受け取るユーザにこれらの機能を提供する。
【００４４】
ＨＳＳ１４２は好適には、加入者の同一性、サービスおよび関連するポリシー、位置、および認証データを含むがこれらに限定されない情報を含む加入者データベースを維持する。
【００４５】
ＨＳＳ１４２は以下のインタフェースをサポートする。インタフェースＣｘはＣＳＣＦ１４３のインタフェースである。このインタフェースの好ましいプロトコルはＤＩＡＭＥＴＥＲである。インタフェースＭｈはＳＧＷ１４７に対するインタフェースである。インタフェースＧｒはＳＧＳＮ１３２に対するインタフェースである。インタフェースＧｃはＧＧＳＮ１３３に対するインタフェースである。インタフェースＣはＧＭＳＣサーバ１５３に対するインタフェースである。インタフェースＭｈ、Ｇｒ、Ｇｃ、ＤおよびＣは、好適にはＭＡＰプロトコルを利用する。
【００４６】
本発明の模範的実施形態によれば、ＨＳＳ１４２は、ＭＳＣサーバ１５２またはＩＭＳ１４１のいずれかの加入者に対して、いつ特徴およびサービスが実施されるべきかを認識する。さらに、ＨＳＳ１４２はリモートＭＳＣサーバにて提供されているＩＭＳ−ホームド携帯ユニットのための手順をサポートする。
【００４７】
ＳＧＷ１４７はＰＳドメインとＩＭＳとの間のシグナリングのためのトランスポート・プロトコルを終了する。ＳＧＷ１４７のサービスは好適には、その種々のインタフェース（すべては図示せず）上のシグナリングのＳＳ７とＩＰトランスポートとの間のトランスポート・インタワーキングを確実にするために使用される。ＳＧＷ１４７はＭｓインタフェースおよびＭｈインタフェースをそれぞれ介して、ＣＳＣＦ１４３およびＨＳＳ１４２と通信を行う。
【００４８】
ＳＧＷ１４７は、回路交換無線ネットワークへのローミング、およびＴＣＰ／ＩＰなどのＩＰでの回路交換シグナリングのトランスポートをＨＳＳ加入者に提供する。
【００４９】
マルチメディア・メール・システムは、通信システム１００内にあり得ることは理解されるべきである。マルチメディア・メール・システムは好適には独立したエンティティであるが、択一的には、通信システム１００の種々の部分に組み込まれてよい。
【００５０】
図２は本発明の模範的実施形態による通信システム内の所定の商品を表示する方法のフローチャート２００を示している。
【００５１】
携帯ユニット１０１は所定の商品を示している（２０１）。この表示は好適にはオンライン・スクリーニング・プロセッサ１０３に伝達される。この表示はまたコンピュータに入力されてもよい。
【００５２】
オンライン・スクリーニング・プロセッサ１０３は、所定の商品が入手可能になると同時にアラートされることになっている通信ユニットの、固有のアドレスのリストを受け取る（２０３）。この固有のアドレスのリストは携帯ユニット１０１によってまたはコンピュータを介して生成され、かつオンライン・スクリーニング・プロセッサ１０３に送信されてよい。
【００５３】
オンライン・スクリーニング・プロセッサ１０３は所定の商品の表示を受け取る（２０５）。これは好みのリストの形式であってよい。この好みのリストは携帯ユニット１０１から、またはコンピュータ等を介して携帯ユニット１０１に代わって送信されてよい。
【００５４】
オンライン・スクリーニング・プロセッサは所定の商品が入手可能になった時点で、アラートされることになっている通信ユニットのアドレスを格納する（２０７）。
【００５５】
オンライン・スクリーニング・プロセッサ１０３は所定の商品の表示を格納する（２０９）。模範的実施形態では、オンライン・スクリーニング・プロセッサは、所定の商品が入手可能になったときに、オンライン・スクリーニング・プロセッサ１０３がどの通信ユニットにアラートするかを知るように、アラートされることになっている通信ユニットのアドレスと所定の商品とを関連付ける。
【００５６】
通信システム１００内のある構成要素は、そのリストが動的な好みのリストかどうかを判定する（２１１）。動的な好みのリストとは、複数の基準を含んでいるリストである。携帯ユニットのユーザは、その基準の各々について所望の値を指定する。携帯ユニットのアラートをトリガするのに必要な基準の数または値が時間経過とともに減少する場合、そのリストは動的なものである。好みのリストが動的ではない場合、工程は終了する（２９９）。
【００５７】
好みのリストが動的な場合、オンライン・スクリーニング・プロセッサはトリガ・レベルを受け取り（２１３）、好適には、そのトリガ・レベルを格納する。例えば、そのデフォルトのトリガ・レベルは１００％であってよく、アラートをトリガするためには、すべての基準が満たされなければならないことを示す。例えば、トリガ・レベルを８０％に設定すると、これは基準の８０％が満たされるべきか、または各基準が８０％のレベルを超えなければならないかのいずれかを表示し得る。
【００５８】
タイマ等が終了すると、オンライン・スクリーニング・プロセッサ１０３はそのトリガ・レベルを下げる（２１５）。これは好適には、所定の時間量が経過したと同時に、すなわちタイマの終了と同時に減少される。
【００５９】
図３は本発明の模範的実施形態による通信ユニットによって所定の商品を表示するための方法のフローチャート２０１を示している。携帯ユニット１０１は好適には、オンライン・スクリーニング・プロセッサ１０３から所定の商品を示す。
【００６０】
携帯ユニット１０１は、ＳＩＰ（セッション開始プロトコル）などのマルチメディア・セッションを設定することのできるプロトコルを利用して、メッセージを送信することにより、携帯ユニット１０１とオンライン・スクリーニング・プロセッサ１０３との間で無線マルチメディア・セッションを開始する（３０１）。
【００６１】
携帯ユニット１０１は、携帯ユニット１０１上で表示するためのマルチメディア情報をオンライン・スクリーニング・プロセッサ１０３から受け取る（３０３）。このマルチメディア情報には画像、ビデオ、音声、テキスト、または携帯ユニット１０１上で表示するための他のすべての情報を含んでよい。
【００６２】
携帯ユニット１０１は携帯ユニット１０１のユーザからの入力を受け取る（３０５）。この入力は、キーパッド入力、音声命令、カーソルの位置決め、または携帯ユニット１０１のユーザの選択を表示する他のすべての適切な手段を用いたものであってよい。
【００６３】
携帯ユニット１０１はオンライン・スクリーニング・プロセッサ１０３にマルチメディア応答を送信する（３０７）。これは好適には、トーン、音声認識、および他の適切な通信技術などのオンライン・スクリーニング・プロセッサ１０３が理解するベアラ経路において、データ・メッセージを送信するピアツーピア接続を利用して達成される。
【００６４】
図４は本発明の模範的実施形態による通信ユニットによる所定の商品の入手可能性を表示するための方法のフローチャート４００を示している。
【００６５】
オンライン・スクリーニング・プロセッサ１０３は、所定の商品がその時点で入手可能かどうかを判定するために、電子商取引サイト１０５とのセッションを開始する（４０１）。択一的実施形態では、電子商取引サイト１０５は新しい商品情報をオンライン・スクリーニング・プロセッサ１０３に送り、これに応じてオンライン・スクリーニング・プロセッサ１０３はその情報を処理する。この情報は製品情報が変化する度に、または所定の間隔で電子商取引サイト１０５から送られてよい。
【００６６】
オンライン・スクリーニング・プロセッサ１０３は電子商取引サイト１０５の在庫リストを生成する（４０３）。この在庫リストは、電子商取引サイト１０５にて提供されるすべての商品の総合リストを含んでよいか、または特定のリサーチ要求に限定されてよい。
【００６７】
オンライン・スクリーニング・プロセッサ１０３はその在庫リストとオンライン・スクリーニング・プロセッサ１０３によって格納されていた所定の商品のリストとを比較する（４０５）。オンライン・スクリーニング・プロセッサ１０３はこの比較を一人のユーザのために行ってよいか、オンライン・スクリーニング・プロセッサ１０３に所定の商品を格納した複数のユーザのためにこの比較を行ってよい。
【００６８】
オンライン・スクリーニング・プロセッサ１０３は在庫リストと所定の商品のリストとがマッチしているか否かを判定する（４０７）。マッチしていない場合、この工程は終了し（４９９）、後から再スタートが可能である。
【００６９】
工程４０７にて判定されたようにマッチしている場合、オンライン・スクリーニング・プロセッサ１０３は所定の商品のリストが動的な好みのリストか否かを判定する（４０９）。動的な好みのリストとは、マッチするために必要な基準のセットを含んだリストであり、そこではマッチすることなく時間が経過していくにつれて、基準のリストは減少していく。マッチしていない場合、工程は工程４１５に移る。
【００７０】
これが動的な好みのリストである場合、オンライン・スクリーニング・プロセッサ１０３はマッチがトリガ・レベルを超えていないかどうかを判定する（４１１）。模範的実施形態では、デフォルトのトリガ・レベルは１００％である。この実施形態では、その商品がユーザに伝えられるためには、ユーザによって指定されるすべての特性が満たされていなければならない。マッチがトリガ・レベルを超えていない場合、オンライン・スクリーニング・プロセッサはそのトリガ・レベルを減少させてよく、工程は終了する（４９９）。
【００７１】
マッチがトリガ・レベルを超えている場合、オンライン・スクリーニング・プロセッサ１０３は予め指定された固有のアドレスのすべてを用いて、マルチメディア・セッションを開始する（４１３）。この予め指定された固有のリストの創始者（ｏｒｉｇｉｎａｔｏｒ）であってよいか、または所定の商品の結果に関心のある他の携帯ユニットまたは通信ユニットを含んでよい。
【００７２】
予め指定された携帯ユニットは、オンライン・スクリーニング・プロセッサ１０３から所定の商品の入手可能性を受け取る（４１５）。これは好適には、オンライン・スクリーニング・プロセッサ１０３からのマルチメディア情報を、携帯ユニットにて受け取ることによって達成される。この情報は携帯ユニットに表示される。次に、この携帯ユニットは携帯ユニットのユーザから入力を受け取るが、この入力はマルチメディア・セッション内に送られた選択肢の１つを選択している。この選択は携帯ユニットのキーパッド、マウス、携帯ユニットのディスプレイ上でのカーソルの位置決め、音声認識、または他のすべての適切な手段を用いて受け取られてよい。携帯ユニットのユーザから受け取られた情報は、オンライン・スクリーニング・プロセッサ１０３に送られる。
【００７３】
次に、通信システム１００は携帯ユニットと電子商取引サイト１０５との間でマルチメディア・セッションを確立する（４１７）。このマルチメディア・セッションは携帯ユニットと電子商取引サイト１０５とを接続して、携帯ユニットのユーザは電子商取引サイト１０５からの商品の付加的な情報を購入または獲得してよいことを示す情報の両者の間での交換を促進する。
【００７４】
この後、工程は終了する（４９９）。
以上のようにして、本発明は電子商取引サイトでの所定の商品の入手可能性を表示する方法を提供する。携帯ユニットは好ましい商品のリストを設定し、そのリストをオンライン・スクリーニング・プロセッサに送る。このオンライン・スクリーニング・プロセッサは電子商取引サイトとインタフェースを取って、所望の商品に関する情報を得る。オンライン・スクリーニング・プロセッサは携帯ユニット上で表示するために、マルチメディア情報を受け取る。このマルチメディア情報は携帯ユニットに送られる。携帯ユニットのユーザは携帯ユニットでインプットを入力し、かつオンライン・スクリーニング・プロセッサにマルチメディア応答を送ることができる。これは少なくとも１つの携帯ユニットと電子商取引サイトとの間で確立されているマルチメディア・セッションにつながり得る。
【００７５】
本発明をその実施形態の観点から説明してきたが、上記説明に限定されるものではなく、むしろ特許請求の範囲に定めた範囲にのみ限定されるものであることを意図している。
【図面の簡単な説明】
【００７６】
【図１】本発明による通信システムを示す図である。
【図２】本発明の模範的実施形態による通信システムに所定の商品を表示する方法を示すフローチャートである。
【図３】本発明の模範的実施形態による通信システムによって所定の商品を表示する方法を示すフローチャートである。
【図４】本発明の模範的実施形態の通信システムによる所定の商品の入手可能性を表示する方法を示すフローチャートである。
【図１】
2005011351.tif 000003
【図２】
2005011351.tif 000004
【図３】
2005011351.tif 000005
【図４】
2005011351.tif 000006